(57)【要約】【課題】薬剤の流れ落ちを軽減するとともに、薬剤によって表面シートの透液性が阻害されず、排尿口対応領域での不快感を防止する。【解決手段】透液性表面シート３の肌当接面であって着用者の排尿口対応領域Ｈの少なくとも一部を含む領域に、裏面シート２側に窪む窪み部１０が形成されるとともに、前記透液性表面シート３の排尿口対応領域Ｈ及び前記窪み部１０以外の領域に失禁パッド１の性能を高める薬剤が塗布され、前記排尿口対応領域Ｈ及び前記窪み部１０には前記薬剤が塗布されていない。前記薬剤は、撥水剤又は親水剤からなる。【選択図】図１
2018050988.tif 000002
【特許請求の範囲】
【請求項１】
透液性表面シートと裏面シートとの間に吸収体が介在された吸収性物品において、
前記透液性表面シートの肌当接面であって着用者の排尿口対応領域の少なくとも一部を含む領域に、前記裏面シート側に窪む窪み部が形成されるとともに、前記透液性表面シートの排尿口対応領域及び前記窪み部以外の領域に吸収性物品の性能を高める薬剤が塗布され、前記排尿口対応領域及び前記窪み部には前記薬剤が塗布されていないことを特徴とする吸収性物品。
【請求項２】
前記薬剤は、撥水剤、親水剤又はスキンケア剤からなる請求項１記載の吸収性物品。
【請求項３】
前記窪み部は、吸収性物品の長手方向に長い溝形、円形、楕円形、多角形及び星形のいずれか又はこれらの群の中から選択した複数の形状を組み合わせた形状で形成されている請求項１、２いずれかに記載の吸収性物品。
【請求項４】
前記薬剤の塗布面積は、前記透液性表面シートが肌側に露出する部分の面積の５０％以上である請求項１〜３いずれかに記載の吸収性物品。
【請求項５】
前記薬剤を塗布しない領域は、前記排尿口対応領域及び前記窪み部より広い範囲とされている請求項１〜４いずれかに記載の吸収性物品。
【請求項６】
前記透液性表面シートは、前記薬剤を塗布しない領域の非肌側に間欠的なパターンで設けられた接着部により、下層側の部材と接合されている請求項１〜５いずれかに記載の吸収性物品。
【発明の詳細な説明】
【技術分野】
【０００１】
本発明は、主には失禁パッド、生理用ナプキン、おりものシート、医療用パッド、トイレタリー、使い捨ておむつ等に使用される吸収性物品に係り、排尿口部に対応する領域に窪み部が形成されるとともに、表面シートの所定領域に吸収性物品の性能を高める薬剤が塗布された吸収性物品に関する。
【背景技術】
【０００２】
従来より、前記吸収性物品として、ポリエチレンシートまたはポリエチレンシートラミネート不織布などの不透液性裏面シートと、表面シートとの間に粉砕パルプ等の紙綿からなる吸収体を介在したものが知られている。
【０００３】
吸収スピードの向上や逆戻りの低減、べたつき感の改善など、吸収性物品の性能を高めるため、表面シートに薬剤を塗布（外添）する技術が存在する。このようなものとしては、例えば、(1)綿繊維（コットン）を素材とした親水性の表面シートに撥水剤を塗布したもの、(2)合成繊維を素材とした疎水性の表面シートに親水剤を塗布したもの、などが一般的である。
【０００４】
下記特許文献１では、４０〜１００重量％の綿繊維と６０〜０重量％の合成繊維とからなるスパンレース不織布に撥水剤が塗布されてなる吸収性物品が開示されている。また、下記特許文献２では、表面シートの肌面側の面に、３８℃でゲル状態を維持することのできる疎水性のゲル状組成物が間欠的に塗工されている吸収性物品が開示されている。
【先行技術文献】
【特許文献】
【０００５】
【特許文献１】特開２０１０−２６９０２９号公報
【特許文献２】特開２０１６−１３２０７号公報
【発明の概要】
【発明が解決しようとする課題】
【０００６】
上記特許文献１に記載されるように、表面シートが綿繊維からなる吸収性物品は、下着のような柔らかい肌触りを実現できる利点を有するものの、保水性が高いため多量の体液が排出された場合、この体液が表面シートに残り、長時間の着用によりムレやかぶれなどの原因となっていた。上記特許文献１記載の吸収性物品では、このような綿繊維からなる表面シートの液残りを改善するため、撥水剤の塗布により肌当接面の吸水度を十分に低く確保する対策がなされているが、次の問題があった。
(1)排尿により撥水剤が流れ落ちるため、表面シートの撥水効果が最適な初期状態から低下してしまう。
(2)塗布量を多くしたり撥水効果の高い撥水剤を用いることにより表面シートの撥水性を大きくし過ぎた場合には、体液が表面シートの表面をはじいて伝い漏れの原因となるため、撥水性を一定以上に高めることができず、逆戻りや液残りが生じやすい。
(3)排尿口領域にも撥水剤が塗布されているため、排出された直後の体液が撥水剤の撥水作用により表面シートを透過しにくく、吸収体への素早い移行が阻害されていた。
【０００７】
一方で、表面シートの素材として合成繊維を用いた軽失禁パッドなどでは、排尿が生じるまで長時間装着し続けることが多く、装着中に汗でムレやすいという問題があった。このムレ対策として、表面シートに親水剤を塗布することによって、表面シートに吸湿効果を持たせ、装着中のムレを軽減する対策が成されているが、排尿により親水剤が流れ落ちるため、表面シートの吸湿効果が最適な初期状態から低下してしまうという問題があった。
【０００８】
また、上記特許文献１、２記載の吸収性物品では、表面シートのほぼ全面に薬剤が塗布され、表面シートのほぼ全面が肌面に密着しているため、表面シートの体液が浸透しにくい部分（撥水剤が塗布された部分又は疎水性の素材からなる部分）では、吸収体に素早く体液が移行しにくくなる問題があり、表面シートの体液が浸透しやすい部分では、表面シートが肌に密着しているため、排尿後にべたつき感が生じるとともに、逆戻りがあったときに逆戻りした液が肌に付着しやすい問題があった。
【０００９】
そこで本発明の主たる課題は、薬剤の流れ落ちを軽減するとともに、薬剤によって表面シートの透液性が阻害されず、排尿口領域での不快感を防止した吸収性物品を提供することにある。
【課題を解決するための手段】
【００１０】
上記課題を解決するために請求項１に係る本発明として、透液性表面シートと裏面シートとの間に吸収体が介在された吸収性物品において、
前記透液性表面シートの肌当接面であって着用者の排尿口対応領域の少なくとも一部を含む領域に、前記裏面シート側に窪む窪み部が形成されるとともに、前記透液性表面シートの排尿口対応領域及び前記窪み部以外の領域に吸収性物品の性能を高める薬剤が塗布され、前記排尿口対応領域及び前記窪み部には前記薬剤が塗布されていないことを特徴とする吸収性物品が提供される。
【００１１】
上記請求項１記載の発明では、前記透液性表面シートの肌当接面であって着用者の排尿口部対応領域の少なくとも一部を含む領域に、前記裏面シート側に窪む窪み部が形成されるとともに、前記透液性表面シートの排尿口対応領域及び前記窪み部以外の領域に吸収性物品の性能を高める薬剤が塗布され、前記排尿口対応領域及び前記窪み部には前記薬剤が塗布されていないため、排尿口対応領域において尿による薬剤の流れ落ちがなく、排尿後も薬剤によって吸収性物品の性能が高められた初期の状態が維持される。また、排尿口対応領域には薬剤が塗布されないため、前記薬剤として撥水剤を用いた場合、排出直後の尿がはじかれるといったデメリットが生じないので、薬剤の塗布量を多くしたり、撥水効果の高い薬剤を用いて、薬剤によって吸収性物品の性能を十分に高めることができるようになるとともに、排尿口対応領域では前記撥水剤によって透液性表面シートの液透過性が低下することがないため、尿が素早く吸収体に吸収されるようになる。また、このとき問題となる透液性表面シートの液残りや逆戻りに対しては、排尿口対応領域に形成された窪み部によって、透液性表面シートが直接肌面に接触するのが防止されているため、前記窪み部の表面シートに液残りや逆戻りが生じても表面シートに保持された体液を感じにくい構造とすることにより解決が図られている。
【００１２】
請求項２に係る本発明として、前記薬剤は、撥水剤、親水剤又はスキンケア剤からなる請求項１記載の吸収性物品が提供される。
【００１３】
上記請求項２記載の発明では、前記薬剤として撥水剤、親水剤又はスキンケア剤を用いている。透液性表面シートが綿繊維などの親水性の素材からなる場合、前記薬剤として撥水剤を用いるのが好ましい。透液性表面シートが綿繊維からなる場合、綿繊維の保水性により表面シートに液残りが生じるため、綿繊維の保液性を低下させるのに撥水剤を塗布している。このとき、本吸収性物品では、排尿口対応領域及び窪み部には撥水剤を塗布していないため、排尿口対応領域において排尿に伴う撥水剤の流れ落ちがないとともに、透液性表面シートの液透過性を低下させることがなく、素早く吸収体に吸収されるようになる。また、吸収体に吸収された体液が逆戻りしようとしても、排尿口対応領域以外の領域では、透液性表面シートに塗布された撥水剤によって、表面への液戻りが生じにくいとともに、排尿口対応領域では、撥水剤が塗布されないため透液性表面シートへの液戻りが生じるが、この部分が非肌側に窪む窪み部となっているため、表面に逆戻りした体液が肌面に接触しにくく、べた付きなどの不快感が生じることがない。
【００１４】
一方、透液性表面シートが合成繊維などの疎水性の素材からなる場合、前記薬剤として親水剤を用いるのが好ましい。軽失禁パッドなどのように失禁があるまで長時間装着し続ける場合には、装着中に汗でムレが生じやすいため、透液性表面シートに親水剤を塗布することにより吸湿効果を高めることができる。このとき、本吸収性物品では、排尿口対応領域及び窪み部には前記親水剤を塗布していないため、排尿によって親水剤が流れ落ちることがなく、初期の最適な吸湿状態が維持できるようになる。
【００１５】
請求項３に係る本発明として、前記窪み部は、吸収性物品の長手方向に長い溝形、円形、楕円形、多角形及び星形のいずれか又はこれらの群の中から選択した複数の形状を組み合わせた形状で形成されている請求項１、２いずれかに記載の吸収性物品が提供される。
【００１６】
上記請求項３記載の発明では、前記窪み部の平面形状について具体的に規定している。前記窪み部は、排尿口対応領域に排出された尿を素早く吸収体に移行させることができるとともに、着用者の排尿口部に接触しにくい平面形状で形成するのが好ましい。
【００１７】
請求項４に係る本発明として、前記薬剤の塗布面積は、前記透液性表面シートが肌側に露出する部分の面積の５０％以上である請求項１〜３いずれかに記載の吸収性物品が提供される。
【００１８】
上記請求項４記載の発明では、前記薬剤の塗布面積が小さすぎると逆戻りが多くなったり、吸湿効果が十分でないことがあるため、透液性表面シートが肌側に露出する部分の面積の５０％以上としている。
【００１９】
請求項５に係る本発明として、前記薬剤を塗布しない領域は、前記排尿口対応領域及び前記窪み部より広い範囲とされている請求項１〜４いずれかに記載の吸収性物品が提供される。
【００２０】
上記請求項５記載の発明では、前記薬剤を塗布しない領域を、排尿口対応領域及び窪み部より広い範囲とすることによって、排尿口対応領域及び窪み部を確実に薬剤を塗布しない領域としている。
【００２１】
請求項６に係る本発明として、前記透液性表面シートは、前記薬剤を塗布しない領域の非肌側に間欠的なパターンで設けられた接着部により、下層側の部材と接合されている請求項１〜５いずれかに記載の吸収性物品が提供される。
【００２２】
上記請求項６記載の発明では、透液性表面シートの前記薬剤を塗布しない領域の非肌側に間欠的なパターンで設けられた接着部により、透液性表面シートを下層側の部材と接合することによって、透液性表面シートと下層側の部材とが薬剤を塗布しない領域で密着するため、体液が表面シートから下層側の部材へと移行しやすくなる。接着部によって体液の透過を妨げないため、接着パターンは間欠的なパターンとしている。
【発明の効果】
【００２３】
以上詳説のとおり本発明によれば、薬剤の流れ落ちが軽減できるとともに、薬剤によって表面シートの透液性が阻害されず、排尿口領域での不快感が防止できるようになる。
【図面の簡単な説明】
【００２４】
【図１】本発明に係る失禁パッド１の一部破断展開図である。
【図２】図１のII−II線矢視図である。
【図３】尿の流れを示す、窪み部１０の断面斜視図である。
【図４】(A)〜(D)は、窪み部１０の平面パターンを示す失禁パッド１の平面図である。
【図５】窪み部１０の作製要領を示す斜視図である。
【図６】失禁パッド１の平面図である。
【図７】(A)〜(C)は、薬剤の塗布範囲を示す失禁パッド１の平面図である。
【図８】(A)、(B)は、本発明に含まれない薬剤の塗布範囲を示す失禁パッドの平面図である。
【図９】透液性表面シート３とセカンドシート６との接着領域を示す、窪み部１０の断面斜視図である。
【発明を実施するための形態】
【００２５】
以下、本発明の実施の形態について図面を参照しながら詳述する。
【００２６】
〔失禁パッド１の基本構成〕
本発明に係る失禁パッド１は、図１及び図２に示されるように、ポリエチレンシートなどからなる不透液性裏面シート２と、尿などを速やかに透過させる透液性表面シート３と、これら両シート２、３間に介装された綿状パルプまたは合成パルプなどからなる吸収体４と、必要に応じて前記透液性表面シート３と吸収体４との間に配置される親水性のセカンドシート６と、肌当接面の両側にそれぞれ配設されたサイド不織布７、７とから主に構成され、かつ前記吸収体４の周囲においては、その長手方向端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合されている。前記吸収体４は、形状保持および拡散性向上のために、クレープ紙や不織布等の被包シート５によって囲繞するのが好ましい。
【００２７】
以下、さらに前記失禁パッド１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２８】
次いで、前記透液性表面シート３は、有孔または無孔の不織布が好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３の肌当接面に窪み部１０が形成されるとともに、前記透液性表面シート３の所定領域に失禁パッド１の性能を高める薬剤が塗布されている。これら窪み部１０及び薬剤については後段で詳細に説明する。
【００２９】
前記吸収体４は、たとえばフラッフ状パルプ等の吸収性繊維と高吸水性ポリマーとにより構成され、図示例では平面形状がパッド長手方向に長い縦長の略小判形とされている。前記高吸水性ポリマーは例えば粒状粉とされ、吸収体４を構成するパルプ中に分散混入されている。
【００３０】
前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。図示しないが、吸収体４を被包シートで囲繞する場合には、結果的に透液性表面シート３と吸収体４との間に被包シートが介在することになり、吸収性に優れる前記被包シートによって体液を速やかに拡散させるとともに、これら尿等の逆戻りを防止するようになる。前記パルプの目付は、１００ｇ／ｍ２〜６００ｇ／ｍ２、好ましくは２００ｇ／ｍ２〜５００ｇ／ｍ２とするのがよい。
【００３１】
前記高吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性ポリマーは製造プロセスにおいて、架橋密度および架橋密度勾配を調整することにより吸水力（吸収倍率）と吸水速度の調整が可能である。前記ポリマーの目付は、１００ｇ／ｍ２〜５００ｇ／ｍ２、好ましくは２００ｇ／ｍ２〜４００ｇ／ｍ２とするのがよい。
【００３２】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３３】
前記セカンドシート６は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。また、前記セカンドシート６は、コシを持たせるため、裏面側（吸収体４）に多孔のフィルム層を有していてもよく、また被包シートとの積層シートとしてもよく、更にはパルプを含む素材を用いてもよい。
【００３４】
本失禁パッド１の表面側両側部にはそれぞれ長手方向に沿って、かつ失禁パッド１の全長に亘ってサイド不織布７，７が設けられ、このサイド不織布７，７の外側部分が側方に延在されるとともに、前記不透液性裏面シート２が側方に延在され、これら側方に延在されたサイド不織布７部分と不透液性裏面シート２部分とをホットメルト接着剤等により接合して側部フラップが形成されている。
【００３５】
前記サイド不織布７としては、重要視する機能の点から撥水処理不織布または親水処理不織布を使用することができる。たとえば、尿等が浸透するのを防止する、あるいは肌触り感を高めるなどの機能を重視するならば、シリコン系、パラフィン系、アルキルクロミッククロリド系撥水剤などをコーティングしたＳＳＭＳやＳＭＳ、ＳＭＭＳなどの撥水処理不織布を用いるのが望ましく、体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるのが望ましい。かかるサイド不織布７としては、天然繊維、合成繊維または再生繊維などを素材として、適宜の加工法によって形成されたものを使用することができる。
【００３６】
前記サイド不織布７、７は、図示例では、肌側に突出せず失禁パッド１の両側部にそれぞれ積層した構造としてあるが、適宜に折り畳まれて、前記吸収体４の略側縁近傍位置を起立基端として肌側に起立する左右一対の立体ギャザーを構成するようにしてもよい。
【００３７】
〔窪み部１０〕
本失禁パッド１では、前記透液性表面シート３の肌当接面であって着用者の排尿口対応領域Ｈの少なくとも一部を含む領域に、前記不透液性裏面シート２側に窪む窪み部１０が形成されている。
【００３８】
前記窪み部１０は、透液性表面シート３の表面側（肌面側）からの圧搾により吸収体４の所定深さまで窪ませた部分である。前記窪み部１０の範囲は、図２及び図３に示されるように、周辺の透液性表面シート３の肌側面の平坦な部分より、不透液性裏面シート２側に窪んだ全ての範囲を指し、圧搾時のエンボス凸部の先端によって透液性表面シート３の外面側から直接圧搾した部分に加え、この圧搾に伴って周辺の繊維が引き込まれるようにして窪んだ部分も含まれる。この窪み部１０の外縁は、失禁パッド１の肌当接面を弛みなく引き伸ばした状態で、透液性表面シート３の上面に平板を載置し、この平板と透液性表面シート３とが離間する部分を窪み部１０の周囲に沿って結んだ線である。
【００３９】
前記窪み部１０は、排尿口対応領域Ｈの少なくとも一部を含む領域、つまり排尿口対応領域Ｈの少なくとも一部と重なる領域、好ましくは排尿口対応領域Ｈの少なくとも中央部と重なる領域に形成されている。これにより、排尿口部から排出された尿が窪み部１０に直接流れ込み、この窪み部１０において透液性表面シート３を透過して吸収体４に移行するようになる。前記窪み部１０は、排尿口対応領域Ｈの面積に対して、少なくとも３０％の範囲と重なるように配置されている。これによって、より確実に排出された尿が窪み部１０に流れ込みやすくなる。
【００４０】
ここで、排尿口対応領域Ｈとは、失禁パッド１の装着時に着用者の排尿口部が当接する領域のことであり、失禁パッド１の幅方向中央部であって、長手方向の中央部より若干前側に位置している。前記排尿口対応領域Ｈの大きさは、体型や装着位置によって多少のずれはあるものの、直径約２５ｍｍの円内におさまることが装着状態の調査によって得られているため、ここでは排尿口対応領域Ｈとして直径２５ｍｍの円を採用する。また、この排尿口対応領域Ｈが装着時に容易に識別できるようにするため、排尿口対応領域Ｈと窪み部１０とをほぼ一致する大きさで形成してもよいし、排尿口対応領域Ｈに着色を施すようにしてもよい。
【００４１】
図１に示されるように、前記窪み部１０のパッド幅方向の長さａは２〜３０ｍｍ、窪み部１０のパッド長手方向の長さｂは２０〜１８０ｍｍとするのが好ましい。前記窪み部１０は、失禁パッド１の幅方向に対しては中央部に位置し、失禁パッド１の長手方向に対しては、前記排尿口対応領域Ｈと同様に、長手方向中央部より若干前側に位置している。前記窪み部１０が図４(A)に示されるようにパッド長手方向に延びる溝状に形成される場合、排尿口対応領域Ｈから前側に延在する長さより、後側に延在する長さの方が長くなるように配置することにより、この溝状の窪み部１０に沿って流れた尿が吸収体のより広い範囲に拡散しやすくなるため好ましい。
【００４２】
前記窪み部１０の底面の位置は、吸収体４の厚みの５０％以上、好ましくは５０％〜９０％とするのがよい。５０％より浅い位置までしか窪み部が形成されない場合には、窪み部内に貯留可能な体液の容量が小さ過ぎて、窪み部から尿が溢れ出るおそれがある。
【００４３】
前記窪み部１０の平面形状は、図１に示されるように排尿口対応領域Ｈとほぼ同じ円形としてもよいし、図４に示されるように、(A)パッド長手方向に長い溝形、(B)排尿口対応領域Ｈより大きな円形、(C)パッド長手方向に長い溝形と排尿口対応領域Ｈとほぼ同じ円形との組み合わせ、(D)星形としてもよい。また、この他に、楕円形や多角形などとすることもでき、図４(C)に例示されるように、これらの形状の群の中から選択した複数の形状を組み合わせた形状とすることも可能である。特に前記窪み部１０をパッド長手方向に長い溝形とした場合には、吸収体４のより広い範囲に尿を拡散して吸収することができるようになる。
【００４４】
前記窪み部１０を形成するには、透液性表面シート３の表面側からのエンボスにより、透液性表面シート３及び吸収体４を一体的に圧搾することにより作製してもよいし、予め吸収体４に肌側面から非肌側に向けて窪む吸収体凹部を形成しておき、その上層に透液性表面シート３を積層した状態で、透液性表面シート３の表面側からのエンボスにより、少なくとも前記吸収体凹部を含む位置の透液性表面シート３を圧搾することにより作製してもよい。後者の場合、透液性表面シート３の表面側からのエンボスは、前記吸収体凹部の形状とほぼ同形状又はこれより小さな形状とし、透液性表面シート３を前記吸収体凹部の内部に凹陥させるように形成してもよいし、図５及び図６に示されるように、吸収体４に円形の吸収体凹部１１を形成しておき、この吸収体凹部１１の両側縁を含む左右２条の線状エンボス１２、１２により、透液性表面シート３から吸収体４にかけて、前記吸収体凹部１１を含む左右の線状エンボス１２、１２で囲まれた四角形領域を一体的に圧搾することにより形成してもよい。これにより、窪み部１０の底面に存在する吸収体４部分が過度に圧搾されるのが抑えられ、窪み部１０の底面からも尿が吸収されやすくなる。
【００４５】
〔薬剤〕
前記透液性表面シート３の所定領域に薬剤が塗布されている。前記薬剤としては、撥水剤、親水剤又はスキンケア剤など、塗布された透液性表面シート３の機能を向上させたり改質したりすることにより失禁パッド１の性能を高める効果を有するものを広く用いることが可能である。具体的には、透液性表面シート３が綿繊維などの親水性の素材からなる場合、前記薬剤として撥水剤を用いることにより、撥水剤を塗布した部分の透液性表面シート３が撥水機能を有するように改質したり、透液性表面シート３が合成繊維などの疎水性の素材からなる場合、前記薬剤として親水剤を用いることにより、撥水剤を塗布した部分の透液性表面シート３が親水機能を有するように改質したりすることができる。また、透液性表面シート３が親水性の素材からなる場合でも、前記薬剤として親水剤を用いて親水機能を向上させたり、透液性表面シート３が撥水性の素材からなる場合でも、前記薬剤として撥水剤を用いて撥水機能を向上させたりすることも可能である。
【００４６】
前記撥水剤としては、パラフィン系、シリコン系等の既知のもののうち、肌への刺激性の少ないものを適宜選択して使用することができるが、ステアリン酸グリセリル、ステアリン酸アミド、ステアリン酸亜鉛、ステアリン酸カルシウム、ステアリン酸ジエタノールアミド、ステアリン酸マグネシウム等の刺激性の少ない油脂を適宜選択して使用することがより好ましい。中でも、ステアリン酸アミド（オクタデカンアミド）が含有されたものを用いるのが特に好ましい。このステアリン酸アミドは、肌への刺激が特に少なく、痒みやかぶれなどの肌トラブルが特に生じ難いという利点があり、撥水剤の塗布量を多くした本失禁パッド１においては好適である。前記撥水剤は、前記ステアリン酸アミドの他に牛脂硬化油などの動物性油脂や植物性油脂が配合された複数の油脂からなるものとするのが好ましい。前記牛脂硬化油を配合することにより、撥水剤の塗布のバラツキが低減できるなどの利点がある。
【００４７】
前記親水剤としては、例えば陰イオン性界面活性剤、カルボン酸塩、アシル化加水分解タンパク質、スルホン酸塩、硫酸エステル塩、リン酸エステル塩、非イオン性界面活性剤、ポリオキシエチレン系界面活性剤、カルボン酸エステル、カルボン酸アミド、ポリアルキレノキシドブロック共重合物、陽イオン性界面活性剤、第四級アンモニウム塩、両性界面活性剤、イミダゾリニウム誘導体等が挙げられ、この他にも繊維に塗布される親水剤として公知の親水剤であればどのようなものを適用しても良い。
【００４８】
前記スキンケア剤としては、スキンケア成分を含むローション剤など、失禁パッドの着用中に着用者の肌に移行すると、肌のかぶれ等を防止することができる公知の薬剤を用いることが可能である。前記スキンケア剤は特に限定されず、ビタミンＥ（トコフェロール同属体中の、α−トコフェロールの割合が９０重量％以上のものが好適）の他、石油系炭化水素、動植物性油脂、動植物性ロウ、脂肪酸エステル系化合物、アルキルエトキシレート、脂肪アルコール、ポリシロキサン、グリコサミノグリカン等、公知のスキンケア剤（酸化防止剤、エモリエント剤）の一種、又は二種類以上を混合して使用することができる。
【００４９】
前記薬剤の塗布面積は、透液性表面シート３が肌側に露出する部分の面積の５０％以上、好ましくは５０〜８０％程度とするのがよい。５０％より小さいと薬剤を塗布した効果が低下する。つまり、前記薬剤が撥水剤の場合、透液性表面シート３の撥水効果が小さく、吸収体４に吸収した尿の逆戻りや透液性表面シート３の液残りが生じるおそれがある。また、前記薬剤が親水剤の場合、透液性表面シート３の吸湿効果が小さく、装着時のムレが生じるおそれがある。透液性表面シート３が肌側に露出する部分とは、透液性表面シート３のうち、両側のサイド不織布７、７と重なる部分を除いた、肌対向面側に露出した部分のことである。
【００５０】
前記薬剤の塗布量は任意であるが、通常のものより塗布量を増やすのが好ましい。本失禁パッド１では、排尿口対応領域Ｈ及び窪み部１０には薬剤が塗布されていないため、薬剤の塗布量を増加させても、体液吸収に影響を及ぼすことはない。すなわち、薬剤として撥水剤を用いた場合、排尿口対応領域Ｈに多量の撥水剤を塗布した場合には、撥水剤の撥水効果が高すぎて尿が透液性表面シート３を透過しづらくなるが、本失禁パッド１では、排尿口対応領域Ｈ及び窪み部１０以外の領域に撥水剤を塗布し、排尿口対応領域Ｈ及び窪み部１０には撥水剤を塗布していないため、撥水剤によって体液の透過が阻害されず、逆に撥水剤の塗布領域において吸収体４に吸収された尿の逆戻りが抑えられるとともに、表面シート３の液残りが生じにくくなり、撥水剤の機能が十分に発揮できるようになる。
【００５１】
前記撥水剤の塗布領域は、図１及び図７に示されるように、排尿口対応領域Ｈ及び窪み部１０以外の領域とされている。つまり、図８(A)に示されるように、排尿口対応領域Ｈと窪み部１０とがほぼ同じ大きさで形成された失禁パッド１の幅方向中央部が全長に亘って薬剤非塗布領域とされ、両側がそれぞれ全長に亘って薬剤塗布領域とされた場合において、前記薬剤塗布領域が排尿口対応領域Ｈ及び窪み部１０の両側と大きく重なるようにしたり、同図８(B)に示されるように、排尿口対応領域Ｈより窪み部１０が大きく形成された失禁パッド１の排尿口対応領域Ｈが薬剤非塗布領域とされ、それ以外の領域が薬剤塗布領域とされた場合において、前記薬剤塗布領域が排尿口対応領域Ｈには重なっていないが、窪み部１０の外縁部と全周に亘って重なるようにしたものは、本発明の範囲から外れるものである。ただし、ライン操業時の位置ズレなどによって、撥水剤の塗布領域が排尿口対応領域Ｈ及び窪み部１０の両方又はいずれか一方の外縁部の一部と若干重なっていても構わない。この重なり代は可能な限りゼロであるのが望ましいが、窪み部１０又は排尿口対応領域Ｈのパッド幅方向又は長手方向のそれぞれの方向に対する長さの１０％以内であれば、本発明の効果が著しく低下するものではない。
【００５２】
前記撥水剤の塗布領域は、図１及び図７(B)に示されるように、窪み部１０及び排尿口対応領域Ｈ以外の領域が全て撥水剤塗布領域となるようにしてもよいし、図７(A)及び(C)に示されるように、窪み部１０及び排尿口対応領域Ｈより広い範囲を薬剤を塗布しない領域とし（非斜線部分）、それ以外の領域を撥水剤塗布領域としてもよい（斜線部分）。図７(A)では、窪み部１０が排尿口対応領域Ｈとほぼ一致する範囲に形成され、窪み部１０（排尿口対応領域Ｈ）より幅方向外側がそれぞれ撥水剤塗布領域となっている。図７(C)では、窪み部１０がパッド長手方向に長い溝形に形成され、排尿口対応領域Ｈより幅方向外側及び前記窪み部１０の長手方向両端より前後に離間した部分より長手方向外側がそれぞれ撥水剤塗布領域となっている。排尿口対応領域Ｈ及び窪み部１０より広い範囲を、薬剤を塗布しない領域とすることにより、排尿口対応領域Ｈ及び窪み部１０を確実に薬剤を塗布しない領域とすることができる。
【００５３】
図９に示されるように、前記透液性表面シート３は、前記薬剤を塗布しない領域の非肌側に間欠的なパターンで設けられた接着部１３により、下層側のセカンドシート６と接合され、前記接着部１３以外の領域では、透液性表面シート３とセカンドシート６とが接合されないようにするのが好ましい。これによって、透液性表面シート３とセカンドシート６とが薬剤を塗布しない領域で密着するため、体液が表面シート３からセカンドシート６へと移行しやすくなる。前記接着部１３としては、ホットメルト接着剤や熱融着を用いることができる。前記接着部１３のパターンは、スパイラルやドットなど、接着部と非接着部とが混在するパターンとするのが好ましい。全面を接着部とすると尿の移行が阻害されるおそれがある。
【００５４】
以上の構造からなる本失禁パッド１では、透液性表面シート３の排尿口対応領域Ｈ及び窪み部１０以外の領域に前記薬剤が塗布され、排尿口対応領域Ｈ及び窪み部１０には前記薬剤が塗布されていないため、排尿口対応領域Ｈにおいて尿による薬剤の流れ落ちがなく、排尿後も薬剤によって失禁パッド１の性能が高められた初期の状態が維持できるようになる。また、所定の領域に薬剤を塗布しないため、薬剤の使用量を抑えることができ、製造コストの削減を図ることができるようになる。
【００５５】
また、排尿口対応領域Ｈには前記薬剤が塗布されないため、前記薬剤として撥水剤を用いた場合、排出直後の尿がはじかれるといったデメリットが生じないので、薬剤の塗布量を多くしたり、撥水効果の高い薬剤を用いることによって、失禁パッド１の性能を十分に高めることができるとともに、排尿口対応領域Ｈでは撥水剤によって透液性表面シート３の液透過性が低下しないため、尿が素早く吸収体４に吸収されるようになる。
【００５６】
また、このとき問題となる透液性表面シート３の液残りや逆戻りに対しては、排尿口対応領域Ｈに形成された窪み部１０によって、透液性表面シート３が直接肌面に接触するのが防止されているため、窪み部１０の表面シート３に液残りや逆戻りが生じても、表面シート３に保持された体液を感じにくい構造とすることにより解決が図られている。
【符号の説明】
【００５７】
１…失禁パッド、２…不透液性裏面シート、３…透液性表面シート、４…吸収体、５…被包シート、６…セカンドシート、７…サイド不織布、１０…窪み部、１１…吸収体凹部、１２…線状エンボス、１３…接着部
【図１】
2018050988.tif 000003
【図２】
2018050988.tif 000004
【図３】
2018050988.tif 000005
【図４】
2018050988.tif 000006
【図５】
2018050988.tif 000007
【図６】
2018050988.tif 000008
【図７】
2018050988.tif 000009
【図８】
2018050988.tif 000010
【図９】
2018050988.tif 000011